【手続補正書】
【提出日】令和3年7月19日(2021.7.19)
【手続補正１】
【補正対象書類名】明細書
【補正対象項目名】０００８
【補正方法】変更
【補正の内容】
【０００８】
本発明の一態様に係る印刷装置は、テープ部材を搬送する搬送ローラと、前記テープ部材に印刷を行う印刷ヘッドと、前記テープ部材をカットするカット部と、前記印刷ヘッドによる印刷開始前に前記テープ部材を排出口に向かう順方向へ搬送し、前記カット部によるカット処理と、前記カット処理を実行した後、前記テープ部材における印刷開始位置が前記印刷ヘッドの位置になるように前記テープ部材を前記順方向とは逆方向に搬送する逆搬送処理と、前記逆搬送処理が終了すると、前記テープ部材を前記順方向に搬送しながら前記印刷ヘッドによる印刷処理と、を行うように前記搬送ローラ、前記印刷ヘッド、及び前記カット部を制御する制御部と、を備え、前記制御部は、前記カット処理、前記逆搬送処理及び前記印刷処理のうち少なくとも１つ以上の何れかの処理の実行中に中断されたかを検出し、前記検出された中断時に実行中の処理に応じて、前記中断後の前記テープ部材の搬送を制御する。
【手続補正２】
【補正対象書類名】明細書
【補正対象項目名】０００９
【補正方法】変更
【補正の内容】
【０００９】
本発明の一態様に係る印刷装置の制御方法は、テープ部材を搬送する搬送ローラと、前記テープ部材に印刷を行う印刷ヘッドと、前記テープ部材をカットするカット部とを備えた印刷装置の制御方法であって、前記印刷ヘッドにより印刷開始前に前記テープ部材を排出口に向かう順方向へ搬送し、前記カット部によるカット処理と、前記カット処理を実行した後、前記テープ部材における印刷開始位置が前記印刷ヘッドの位置になるように前記テープ部材を前記順方向とは逆方向に搬送する逆搬送処理と、前記逆搬送処理が終了すると、前記テープ部材を前記順方向に搬送しながら前記印刷ヘッドによる印刷処理と、を行うように前記搬送ローラ、前記印刷ヘッド、及び前記カット部を制御し、前記カット処理、前記逆搬送処理及び前記印刷処理のうち少なくとも１つ以上の何れかの処理の実行中に中断されたかを検出し、前記検出された中断時に実行中の処理に応じて、前記中断後の前記テープ部材の搬送を制御する。
【手続補正３】
【補正対象書類名】明細書
【補正対象項目名】００１０
【補正方法】変更
【補正の内容】
【００１０】
本発明の一態様に係るプログラムは、テープ部材を搬送する搬送ローラと、前記テープ部材に印刷を行う印刷ヘッドと、前記テープ部材をカットするカット部とを備えた印刷装置のコンピュータに、前記印刷ヘッドにより印刷開始前に前記テープ部材を排出口に向かう順方向へ搬送し、前記カット部によるカット処理と、前記カット処理を実行した後、前記テープ部材における印刷開始位置が前記印刷ヘッドの位置になるように前記テープ部材を前記順方向とは逆方向に搬送する逆搬送処理と、前記逆搬送処理が終了すると、前記テープ部材を前記順方向に搬送しながら前記印刷ヘッドによる印刷処理と、を行うように前記搬送ローラ、前記印刷ヘッド、及び前記カット部を制御し、前記カット処理、前記逆搬送処理及び前記印刷処理のうち少なくとも１つ以上の何れかの処理の実行中に中断されたかを検出し、前記検出された中断時に実行中の処理に応じて、前記中断後の前記テープ部材の搬送を制御する、処理を実行させる。
【手続補正４】
【補正対象書類名】特許請求の範囲
【補正対象項目名】全文
【補正方法】変更
【補正の内容】
【特許請求の範囲】
【請求項１】
テープ部材を搬送する搬送ローラと、
前記テープ部材に印刷を行う印刷ヘッドと、
前記テープ部材をカットするカット部と、
前記印刷ヘッドによる印刷開始前に前記テープ部材を排出口に向かう順方向へ搬送し、前記カット部によるカット処理と、前記カット処理を実行した後、前記テープ部材における印刷開始位置が前記印刷ヘッドの位置になるように前記テープ部材を前記順方向とは逆方向に搬送する逆搬送処理と、前記逆搬送処理が終了すると、前記テープ部材を前記順方向に搬送しながら前記印刷ヘッドによる印刷処理と、を行うように前記搬送ローラ、前記印刷ヘッド、及び前記カット部を制御する制御部と、を備え、
前記制御部は、
前記カット処理、前記逆搬送処理及び前記印刷処理のうち少なくとも１つ以上の何れかの処理の実行中に中断されたかを検出し、
前記検出された中断時に実行中の処理に応じて、前記中断後の前記テープ部材の搬送を制御することを特徴とする印刷装置。
【請求項２】
前記搬送ローラの搬送量を記憶する記憶部を備え、
前記制御部は、
前記実行中の処理が中断されたと判断すると、前記実行中の処理の開始時点から中断された時点間の前記搬送ローラの搬送量を前記記憶部に記憶させ、前記実行中の処理が中断された後に行われる処理において、前記記憶部に記憶された前記搬送量に基づいて前記テープ部材の搬送を制御することを特徴とする請求項１に記載の印刷装置。
【請求項３】
前記カット部は、前記テープ部材にハーフカットを行うハーフカッターを備え、
前記制御部は、前記印刷ヘッドによる印刷開始前に前記テープ部材を排出口に向かう順方向へ搬送し、前記ハーフカッターによるハーフカット処理と、前記ハーフカット処理を実行した後、前記テープ部材における印刷開始位置が前記印刷ヘッドの位置になるように前記テープ部材を前記順方向とは逆方向に搬送する逆搬送処理と、前記逆搬送処理が終了すると、前記テープ部材を前記順方向に搬送しながら前記印刷ヘッドによる印刷処理と、を行うように前記搬送ローラ、前記印刷ヘッド、及び前記ハーフカッターを制御することを特徴とする請求項１又は２に記載の印刷装置。
【請求項４】
前記ハーフカット処理によるハーフカット前に処理が中断した場合、
前記制御部は、
前記処理が中断された後に行われる新たな処理において、
前記テープ部材におけるハーフカット位置が前記ハーフカッターの位置になるように前記順方向に搬送し、前記ハーフカット処理を実行することを特徴とする請求項３記載の印刷装置。
【請求項５】
前記逆搬送処理による前記逆方向への搬送中に処理が中断した場合、
前記制御部は、
前記処理が中断された後に行われる新たな処理において、
前記テープ部材における印刷開始位置が前記印刷ヘッドの位置になるように前記テープ部材を前記順方向とは前記逆方向に搬送することを特徴とする請求項１又は２記載の印刷装置。
【請求項６】
前記テープ部材にフルカットを行うフルカッターを更に備え、
前記逆搬送処理の終了後、前記印刷処理における前記順方向への搬送中に処理が中断した場合、
前記制御部は、
前記処理が中断された後に行われる新たな処理において、
前記テープ部材を、少なくとも前記印刷ヘッドと前記フルカッターの間の距離だけ前記順方向へ搬送させ、前記フルカッターによるフルカット処理を行うことを特徴とする請求項１乃至請求項３のいずれか１項に記載の印刷装置。
【請求項７】
テープ部材を搬送する搬送ローラと、前記テープ部材に印刷を行う印刷ヘッドと、前記テープ部材をカットするカット部とを備えた印刷装置の制御方法であって、
前記印刷ヘッドにより印刷開始前に前記テープ部材を排出口に向かう順方向へ搬送し、前記カット部によるカット処理と、前記カット処理を実行した後、前記テープ部材における印刷開始位置が前記印刷ヘッドの位置になるように前記テープ部材を前記順方向とは逆方向に搬送する逆搬送処理と、前記逆搬送処理が終了すると、前記テープ部材を前記順方向に搬送しながら前記印刷ヘッドによる印刷処理と、を行うように前記搬送ローラ、前記印刷ヘッド、及び前記カット部を制御し、
前記カット処理、前記逆搬送処理及び前記印刷処理のうち少なくとも１つ以上の何れかの処理の実行中に中断されたかを検出し、
前記検出された中断時に実行中の処理に応じて、前記中断後の前記テープ部材の搬送を制御する、
ことを特徴とする制御方法。
【請求項８】
テープ部材を搬送する搬送ローラと、前記テープ部材に印刷を行う印刷ヘッドと、前記テープ部材をカットするカット部とを備えた印刷装置のコンピュータに、
前記印刷ヘッドにより印刷開始前に前記テープ部材を排出口に向かう順方向へ搬送し、前記カット部によるカット処理と、前記カット処理を実行した後、前記テープ部材における印刷開始位置が前記印刷ヘッドの位置になるように前記テープ部材を前記順方向とは逆方向に搬送する逆搬送処理と、前記逆搬送処理が終了すると、前記テープ部材を前記順方向に搬送しながら前記印刷ヘッドによる印刷処理と、を行うように前記搬送ローラ、前記印刷ヘッド、及び前記カット部を制御し、
前記カット処理、前記逆搬送処理及び前記印刷処理のうち少なくとも１つ以上の何れかの処理の実行中に中断されたかを検出し、
前記検出された中断時に実行中の処理に応じて、前記中断後の前記テープ部材の搬送を制御する、処理を実行させることを特徴とするプログラム。